【手続補正書】
【提出日】平成19年6月1日(2007.6.1)
【手続補正１】
【補正対象書類名】明細書
【補正対象項目名】発明の名称
【補正方法】変更
【補正の内容】
【発明の名称】情報処理装置およびその制御方法
【手続補正２】
【補正対象書類名】明細書
【補正対象項目名】特許請求の範囲
【補正方法】変更
【補正の内容】
【特許請求の範囲】
【請求項１】  メニューデータを表示する第１表示手段と、
前記第１表示手段とは別の第２表示手段とを備える情報処理装置において、
前記第１表示手段に表示するメニューデータを記憶するメニューデータ記憶手段と、
前記第１表示手段に表示されたメニューデータを、前記第２表示手段の表示能力データに基づいた形式に変更して、前記第２表示手段へ表示する表示制御手段とを備えることを特徴とする情報処理装置。
【請求項２】  前記表示制御手段は、前記第１表示手段に表示されたメニューデータの付加情報を表示することを特徴とする請求項１記載の情報処理装置。
【請求項３】  複数のウィンドウを表示する第１表示手段と、前記第１表示手段とは別の第２表示手段とを備える情報処理装置において、
前記第１表示手段に表示されたウィンドウの中で、ウィンドウ全てが表示されていないウィンドウを、前記第２表示手段の表示能力データに基づいた形式に変更して、前記第２表示手段へ表示する表示制御手段を備えることを特徴とする情報処理装置。
【請求項４】  前記第１表示手段および前記第２表示手段に表示されているメニューデータまたはウィンドウを指示するポインタを表示し、該ポインタを動かすポインタ制御手段をさらに備え、
ポインタ指示手段により、前記第１表示手段に表示されているポインタを前記第１表示手段の表示領域外に動かした場合、
前記ポインタ制御手段は、前記ポインタを、前記第２表示画面に移動させ、表示することを特徴とする請求項１〜３のいずれかに記載の情報処理装置。
【請求項５】  前記表示制御手段は、前記メニューデータの表示に必要な領域サイズが前記第２表示手段の表示領域サイズよりも大きいか判別し、大きい場合その一部のみを前記第２表示手段へ表示するとともに、スクロール指示アイコンを前記第２表示手段へ表示し、その後、スクロール指示がなされた場合に、残りのメニューデータを前記第２表示手段へ表示することを特徴とする請求項１または２記載の情報処理装置。
【請求項６】  前記表示制御手段は、前記メニューデータの表示に必要な領域サイズが前記第２表示手段の表示領域サイズよりも大きいか判別し、大きい場合そのメニューの各項目の表示領域サイズを縮小して前記第２表示手段へ表示し、その後、項目が指示された場合に、該指示された項目のみ表示領域サイズを拡大して前記第２表示手段へ表示することを特徴とする請求項１または２記載の情報処理装置。
【請求項７】  前記表示制御手段は、前記メニューデータ記憶手段にアイコン表示用の画像データと、それに対応する文字列表示用のテキストデータが記憶されていた場合、該テキストデータのみを用いて文字列によるメニューを前記第２表示手段へ表示することを特徴とする請求項１または２記載の情報処理装置。
【請求項８】  前記表示制御手段は、前記メニューデータ記憶手段にアイコン表示用の画像データが記憶されていた場合、該画像データを前記表示能力データに基づいて画像変換し、前記第２表示手段へ表示することを特徴とする請求項１または２記載の情報処理装置。
【請求項９】  第１表示エリアと第２表示エリアとを備え、
表示するメニューデータを記憶し、メニューデータを前記第１表示エリアおよび第２表示エリアに表示する情報処理装置の制御方法であって、
前記第１表示エリアに表示されたメニューデータを、前記第２表示エリアの表示能力データに基づいた形式に変更して、前記第２表示エリアへ表示するステップを備えることを特徴とする制御方法。
【請求項１０】  第１表示エリアと第２表示エリアとを備え、
ウィンドウを前記第１表示エリアおよび第２表示エリアに表示する情報処理装置の制御方法であって、
前記第１表示エリアに表示された複数のウィンドウの中で、ウィンドウ全てが表示されていないウィンドウを、前記第２表示手段の表示能力データに基づいた形式に変更して、前記第２表示エリアへ表示するステップを備えることを特徴とする制御方法。
【手続補正３】
【補正対象書類名】明細書
【補正対象項目名】００１１
【補正方法】変更
【補正の内容】
【００１１】
本発明は、上記問題点を解決するためになされたもので、その目的とするところは、メインディスプレイと、それよりも表示能力の劣るサブディスプレイを備えた情報処理装置において、サブディスプレイの表示能力に合わせて表示内容を加工し、入力しやすくて見やすく操作性が良い情報処理装置およびその制御方法を提供することである。
【手続補正４】
【補正対象書類名】明細書
【補正対象項目名】００１２
【補正方法】変更
【補正の内容】
【００１２】
【課題を解決するための手段】
本発明は、メニューデータを表示する第１表示手段と、
前記第１表示手段とは別の第２表示手段とを備える情報処理装置において、
前記第１表示手段に表示するメニューデータを記憶するメニューデータ記憶手段と、
前記第１表示手段に表示されたメニューデータを、前記第２表示手段の表示能力データに基づいた形式に変更して、前記第２表示手段へ表示する表示制御手段とを備えることを特徴とする情報処理装置である。
【手続補正５】
【補正対象書類名】明細書
【補正対象項目名】００１３
【補正方法】変更
【補正の内容】
【００１３】
また本発明は、前記表示制御手段は、前記第１表示手段に表示されたメニューデータの付加情報を表示することを特徴とする。
【手続補正６】
【補正対象書類名】明細書
【補正対象項目名】００１４
【補正方法】変更
【補正の内容】
【００１４】
また本発明は、複数のウィンドウを表示する第１表示手段と、前記第１表示手段とは別の第２表示手段とを備える情報処理装置において、
前記第１表示手段に表示されたウィンドウの中で、ウィンドウ全てが表示されていないウィンドウを、前記第２表示手段の表示能力データに基づいた形式に変更して、前記第２表示手段へ表示する表示制御手段を備えることを特徴とする情報処理装置である。
【手続補正７】
【補正対象書類名】明細書
【補正対象項目名】００１５
【補正方法】変更
【補正の内容】
【００１５】
また本発明は、前記第１表示手段および前記第２表示手段に表示されているメニューデータまたはウィンドウを指示するポインタを表示し、該ポインタを動かすポインタ制御手段をさらに備え、
ポインタ指示手段により、前記第１表示手段に表示されているポインタを前記第１表示手段の表示領域外に動かした場合、
前記ポインタ制御手段は、前記ポインタを、前記第２表示画面に移動させ、表示することを特徴とする。
【手続補正８】
【補正対象書類名】明細書
【補正対象項目名】００１６
【補正方法】変更
【補正の内容】
【００１６】
また本発明は、前記表示制御手段は、前記メニューデータの表示に必要な領域サイズが前記第２表示手段の表示領域サイズよりも大きいか判別し、大きい場合その一部のみを前記第２表示手段へ表示するとともに、スクロール指示アイコンを前記第２表示手段へ表示し、その後、スクロール指示がなされた場合に、残りのメニューデータを前記第２表示手段へ表示することを特徴とする。
また本発明は、前記表示制御手段は、前記メニューデータの表示に必要な領域サイズが前記第２表示手段の表示領域サイズよりも大きいか判別し、大きい場合そのメニューの各項目の表示領域サイズを縮小して前記第２表示手段へ表示し、その後、項目が指示された場合に、該指示された項目のみ表示領域サイズを拡大して前記第２表示手段へ表示することを特徴とする。
また本発明は、前記表示制御手段は、前記メニューデータ記憶手段にアイコン表示用の画像データと、それに対応する文字列表示用のテキストデータが記憶されていた場合、該テキストデータのみを用いて文字列によるメニューを前記第２表示手段へ表示することを特徴とする。
また本発明は、前記表示制御手段は、前記メニューデータ記憶手段にアイコン表示用の画像データが記憶されていた場合、該画像データを前記表示能力データに基づいて画像変換し、前記第２表示手段へ表示することを特徴とする。
また本発明は、第１表示エリアと第２表示エリアとを備え、
表示するメニューデータを記憶し、メニューデータを前記第１表示エリアおよび第２表示エリアに表示する情報処理装置の制御方法であって、
前記第１表示エリアに表示されたメニューデータを、前記第２表示エリアの表示能力データに基づいた形式に変更して、前記第２表示エリアへ表示するステップを備えることを特徴とする制御方法である。
また本発明は、第１表示エリアと第２表示エリアとを備え、
ウィンドウを前記第１表示エリアおよび第２表示エリアに表示する情報処理装置の制御方法であって、
前記第１表示エリアに表示された複数のウィンドウの中で、ウィンドウ全てが表示されていないウィンドウを、前記第２表示手段の表示能力データに基づいた形式に変更して、前記第２表示エリアへ表示するステップを備えることを特徴とする制御方法である。